(57)【要約】【課題】コップ状容器の側面において供給口及びキャップを突出に設ける側面開口の粉ミルク貯蔵容器に対して、その供給の操作への構造を提供する。【解決手段】一種の側面開口の粉ミルク貯蔵容器の構造であり、その中において側面に供給口を突出に設けて、且頂部に天蓋に対応して締められたり、積み重ねて締められたりすることのできる縦の円筒コップ状容器及び、一つ一つの供給口に合わせて詰め入れて閉にしたり、引抜いて開にしたりすることのできるキャップからなるものである。【選択図】図2
0003110741.tif 000002
【実用新案登録請求の範囲】
【請求項１】
一種の側面開口の粉ミルク貯蔵容器の構造であり、それは複数の側端に突出に設けられた供給口があって且頂部が天蓋で締められる多重式の縦の円筒コップ状容器を含んで、一つ一つの供給口に対応して其々詰め入れられるようなキャップからなるものであり;その特徴は、コップ状容器の内部が粉ミルクを収納するための窪みになり、それは供給口の内部縁を底部の受止め口にして、上部が大きくて下部が小さい坂状の漏斗形内周になり;そして窪みの内周から中間部へ集中する滑り坂道によって容器内に入れておいた粉ミルクを快速で残さずに哺乳瓶の中に滑り込ませることができるため、簡便な操作効果が実現できるものである。
【請求項２】
一種の側面開口の粉ミルク貯蔵容器の構造であり、それは側端に複数の突出に設けられた供給口があって且頂部が天蓋に合わせて締められる一重式の縦の円筒コップ状容器を含んで、一つ一つの供給口に対応して其々詰め入れられるようなキャップからなるものであり;その特徴は、コップ状容器の内部が其々粉ミルクを収納するための窪みになり、それは一つ一つの供給口の内部縁を底部の受止め口にして、底部が円弧に曲がるような水管状内周になり;そして窪みの内周から底部へ集中する滑り坂道によって容器内に入れておいた粉ミルクを快速で残さずに哺乳瓶の中に滑り込ませることができるため、簡便な操作効果が実現できるものである。
【請求項３】
請求項1に述べられたような側面開口の粉ミルク貯蔵容器クの構造であり、その中においては、供給口の前端に傾斜状開ロエッジが特別に設置できるため、供給口内にある粉ミルクが生じる架橋現象を無くすことができ、且前端にある鋭状開口エッジによって一層楽で快速に哺乳瓶に合わせて中に入れるものを特徴とするものである。
【請求項４】
請求項2に述べられたような側面開口の粉ミルク貯蔵容器の構造であり、その中においては、供給口の前端に傾斜状開口エッジが特別に設置できるため、供給口内にある粉ミルクが生じる架橋現象を無くすことができ、且前端にある鋭状開口エッジによって一層楽で快速に哺乳瓶に合わせて中に入れるものを特徴とするものである。
【考案の詳細な説明】
【技術分野】
【０００１】
本考案はコップ状容器の側面において供給口及びキャップを突出に設ける側面開口の粉ミルク貯蔵容器に対して、その供給操作への構造に関する。
主としてはコップ状容器の内部を粉ミルクを収納するための窪みにし、供給口の内部縁を底部の受止め口にして上部が大きく、下部が小さい坂状の漏斗形内周に造り、更に供給口の前端に合わせて傾斜状開ロエッジを設けると哺乳瓶の瓶口に対応して入りやすくなり、且順調で物を残さないような操作効果が実現できるものである。
【背景技術】
【０００２】
よって幼児を連れて外出する時、予め粉ミルクまたは副食品など何回もの用量を用意する粉ミルク容器は殆ど頂部において開閉できる供給漏斗を設置する連続的な多重方式の容器だったり、平面に幾つかの収納室を設けてから開口を開閉に調整する一重式の容器構造のようなものである。これらのような粉ミルク貯蔵容器においては、同一の頂部を共用して供給漏斗にしたため、一部が供給漏斗の側面に残った前回使用した容器内の粉ミルクに重ねて残ったり付着したりすることをもたらしたことにより、水気またはその他の原因で変質が発生しやすくなる。従って次回他の層の容器にある粉ミルクを使うと、同一の供給漏斗の内面を通すため、出てくる粉ミルクが汚染されて幼児に衛生的な脅威をもたらすのである。
そこで、一重容器2に対して自立の供給口21及びキャップ5を設置する側面開口の粉ミルク貯蔵容器(図1を参照)が開発されて、それは供給漏斗を共用する欠点を改善して逐次に粉ミルクＭを供給する場合、前回の使用した層の容器に残った粉ミルクＭに影響されず、そしてより衛生的で且進歩性のある構造になることに役立つが、そのような、縦の円筒コップ状並びに同形の内周の粉ミルク貯蔵容器2においては、その側に垂直方向にある供給口21を挿入すると、その内部の開ロエッジ211と容器2との内周にある受止め箇所に曲がる隅部22が形成するため、例え曲げて使用する容器2においても、その縦になった円弧形漏斗の内周によって粉ミルクＭが順調に滑り降り、出てくるに役立っため、使用上、従来の粉ミルク貯蔵容器より便利な長所を持っているが、その隅部22の曲がった面が往々にして粉ミルクＭが少々残る受止め面になるため、使用者は容器2の左右両側を連続に振って残った粉ミルクＭを払い落としながら下方にある哺乳瓶Bの中に排出しなければならないことで、使用上、ちょっとした不便並びに浪費をもたらし、また清掃上、手間がかかることなど、改良したい構造的な欠点になる。
【考案の開示】
【考案が解決しようとする課題】
【０００３】
本考案の主な目的とは、一種の、側面に一つ一つに合わせて詰め入れるキャップを突出に設ける供給口があって、且頂部が天蓋と対応して締められる多重の縦の円筒コップ状容器からなる側面開口の粉ミルク貯蔵容器の構造を提供することにある。その中において、コップ状容器の内部の粉ミルクを収納するための窪みにし、それは供給口の内部縁を底部の受止め口にして、上部が大きく、下部が小さい坂状漏斗形内周に作り上げ、それによって供給口の前端に合わせて特別に設けた傾斜状開ロエッジにより、供給口内にある粉ミルクが架橋現象を生じることを無くすことができ、且哺乳瓶の瓶口に合わせて入り易
くなり、また内側に予め入れておいた粉ミルクを窪みの内周から中間部へ集中する滑り坂道に沿いながら完全で快速に哺乳瓶の中に滑り込むため、操作で簡便且容器内に粉ミルクが残らない実用的効果を実現させることを特徴にするものである。
本考案のもう一つの主な目的とは、一種の、側面に一つ一つに合わせて詰め入れるキャップを突出に設ける供給口があって、且頂部が天蓋と対応して締められる一重式の縦の円筒コップ状容器からなる側面開口の粉ミルク貯蔵容器の構造を提供することにある。その中において、コップ状容器の内部の粉ミルクを収納するための窪みにし、それは其々の供給口の内部縁を底部の受止め口にして、底部が円弧に曲がる水管形内周に作り上げ、それによって一つ一つの供給口の前端に合わせて特別に設けた傾斜状開ロエッジにより、供給口内にある粉ミルクが架橋現象を生じることを無くすことができ、且逐次に其々哺乳瓶の瓶口に合わせて入り易くなり、また内側に予め入れておいた粉ミルクを窪みの内周から中問部へ集中する滑り坂道に沿いながら完全で快速に哺乳瓶の中に滑り込むため、操作で簡便且容器内に粉ミルクが残らない実用的効果を実現させることを特徴にするものである。
【課題を解決するための手段】
【０００４】
本願実用新案登録請求の範囲の請求項１に記載の考案は、一種の側面開口の粉ミルク貯蔵容器の構造であり、それは複数の側端に突出に設けられた供給口があって且頂部が天蓋で締められる多重式の縦の円筒コップ状容器を含んで、一つ一つの供給口に対応して其々詰め入れられるようなキャップからなるものであり;その特徴は、コップ状容器の内部が粉ミルクを収納するための窪みになり、それは供給口の内部縁を底部の受止め口にして、上部が大きくて下部が小さい坂状の漏斗形内周になり;そして窪みの内周から中間部へ集中する滑り坂道によって容器内に入れておいた粉ミルクを快速で残さずに哺乳瓶の中に滑り込ませることができるため、簡便な操作効果が実現できるものである。
【０００５】
また、請求項２に記載の考案は、一種の側面開口の粉ミルク貯蔵容器の構造であり、それは側端に複数の突出に設けられた供給口があって且頂部が天蓋に合わせて締められる一重式の縦の円筒コップ状容器を含んで、一つ一つの供給口に対応して其々詰め入れられるようなキャップからなるものであり;その特徴は、コップ状容器の内部が其々粉ミルクを収納するための窪みになり、それは一つ一つの供給口の内部縁を底部の受止め口にして、底部が円弧に曲がるような水管状内周になり;そして窪みの内周から底部へ集中する滑り坂道によって容器内に入れておいた粉ミルクを快速で残さずに哺乳瓶の中に滑り込ませることができるため、簡便な操作効果が実現できるものである。
【０００６】
さらに、請求項３に記載の考案は、上記請求項1に述べられたような側面開口の粉ミルク貯蔵容器クの構造であり、その中においては、供給口の前端に傾斜状開ロエッジが特別に設置できるため、供給口内にある粉ミルクが生じる架橋現象を無くすことができ、且前端にある鋭状開口エッジによって一層楽で快速に哺乳瓶に合わせて中に入れるものを特徴とするものである。
【０００７】
又更に、請求項４に記載の考案は、上記請求項２に述べられたような側面開口の粉ミルク貯蔵容器の構造であり、その中においては、供給口の前端に傾斜状開口エッジが特別に設置できるため、供給口内にある粉ミルクが生じる架橋現象を無くすことができ、且前端にある鋭状開口エッジによって一層楽で快速に哺乳瓶に合わせて中に入れるものを特徴とするものである。
【考案を実施するための最良の形態】
【０００８】
それから、本考案の構造の実施及び使用例について図面と合わせて次のように説明する。まず、図面2並びに図面2-A、一Bを参考してください。本考案においては主として、複数の側面に突出して設けた供給口31があり、且頂部では天蓋4を以って締められるような多重式縦の円筒コップ状容器3と、一つ一つの供給口31に合わせて其々詰め入れられるキャップ5からなるものであり、その特徴とはコップ状容器3の内部の粉ミルクＭを収納するための窪み32に供し、それは供給口31の内部縁を底部の受止め口311にして、上部が大きく、下部が小さい坂状漏斗形内周になるように造る。
【０００９】
それによって窪み32の内周から中間部へ集中する滑り坂道によってキャップ5を抜いて供給口31が開放になった後、容器3が縦になるままで粉ミルク貯蔵容器内に予め入れておいた粉ミルクＭを快速に且残さずに哺乳瓶B内に滑り込ませることができ、容器3を連続に左右に振らずに済む簡便操作との効果が実現できる。
【００１０】
それから、供給口31の前端に合わせて特別に設置した傾斜状開口エッジによって供給口内の粉ミルクが生じる架橋現象を無くすことができ、且便利に前端の鋭状開ロエッジ31Aを以って一層楽で快速に哺乳瓶Bの瓶ロヘ合わせて入ることができる。
【００１１】
更に、供給口31の前端に使われ、開口に詰め込んで封にするためのキャップ5については、使用者がそれを容易に敢外せるために設けた突起51を、キヤップを詰め込む場合、後端の鈍状開口エッジ31Bの所に隠しておくことができるため、不意に開口から取外されにくい保護効果を実現させる。
【００１２】
また、前記のような構造の特徴は、同じように次の構造を以って実施されることもできる。図3並びに図3-A、一Bを参考してください。本考案においては主として、複数の側面に突出して設けた供給口61があり、且頂部が天蓋4に合わせて締められる一重式縦の円筒コップ状容器6と、一つ一つの供給口61に合わせて其々詰め入れられるキャップ5からなるものであり、その特徴とはコップ状容器6の内部の粉ミルクＭを収納するための窪み62に供し、それは一つ一つの供給口61の内部縁を底部の受止め口611にして、底部が円弧に曲がる水管形内周になるように造る。
【００１３】
それによって窪み62の内周から中間部へ集申する滑り坂道によってキャップ5を抜いて供給口61が開放になった後、容器6が傾斜になる状態で粉ミルク貯蔵容器内に予め入れておいた粉ミルクMを快速に且残さずに哺乳瓶B内に滑り込ませることができ、容器6を連続に左右に振らずに済む簡便操作との効果が実現できる。
【００１４】
そして、供給口61の前端に合わせて特別に設置した傾斜状開口エッジによって同じように供給口内の粉ミルクが生じる架橋現象を無くすことができ、且つ便利に前端の鋭状開口エッジ61Aを以って一層楽で快速に哺乳瓶Bの瓶口へ合わせて入ることができる。且供給口61の前端に使われ、開口に詰め込んで封にするためのキャヅプ5の側にある突起51を、同じようにキャップを詰め込む場合、後端の鈍状開口エッジ61Bの所(図3並びに図3-Aに示されたように)に隠しておくことができるため、不意に開口から取外されにくい保護効果を実現させる。
【００１５】
上記をまとめて考えたら本考案は確かに低コスト、製作簡便並びに使用便利など全面的な実用性を持つため、的確に新型考案の成立要旨に符合する。
【図面の簡単な説明】
【００１６】
【図１】従来知られた構造の、使用にあたる参考図である。
【図２】本考案の構造例一の立体分解図である。
【図２Ａ】本考案の構造例一の立体組立図である。
【図２Ｂ】本考案の構造例一の、使用にあたる参考図である。
【図３】本考案の構造例二の立体分解図である。
【図３Ａ】本考案の構造例二の立体組立図である。
【図３Ｂ】本考案の構造例二の、使用にあたる参考図である。
【符号の説明】
【００１７】
2  容器
21  供給口
211開ロエッジ
22  隅部
3,6  コップ状容器
31,61  供給口
311,611  受止め口
31,61  鋭状開口エッジ
31B, 61B  鈍状開口エッジ
31,62  窪み
4  天蓋
5  キャップ
51  突起
Ｍ  粉ミルク
B  哺乳瓶
【図１】
0003110741.tif 000003
【図２】
0003110741.tif 000004
【図２Ａ】
0003110741.tif 000005
【図２Ｂ】
0003110741.tif 000006
【図３】
0003110741.tif 000007
【図３Ａ】
0003110741.tif 000008
【図３Ｂ】
0003110741.tif 000009